(57)【要約】      （修正有）【課題】包装シートからなる袋体に対向して配置され、それぞれが人為的に容易に効率よく引き裂き可能な引き裂き部を有する袋体より構成された四面立体状包装体を得ることにある。【解決手段】樹脂フィルムで構成された袋体ＢＧの内部に被包装物を投入する開口部を封止するシーム部６と、シーム部６に対向し、シーム部６に直交するシーム部又は折り目部或いはファスナー部を有して、四面立方袋体を維持、保形する四面立体状包装体。３層の樹脂フィルムから構成し、シーム部６のほぼ中央部に切り欠き部７を設ける。切り欠き部７からシーム部６を通り、対向するシーム部又は折り目部或いはファスナー部の一方の角部に向かう３層の樹脂フィルムを引き裂く第１の引き裂き部８を設ける。切り欠き部の下部からシーム部６を通り、前記対向するシーム部又は折り目部或いはファスナー部の他方の角部に向かう３層の樹脂フィルムを引き裂く第２の引き裂き部９を設ける。【選択図】図２
2014218300.tif 000002
【特許請求の範囲】
【請求項１】
樹脂フィルムで構成された袋体の内部に被包装物を投入する開口部を封止するシーム部と、前記シーム部に対向し、前記シーム部に直交するシーム部又は折り目部或いはファスナー部を有して、四面立方袋体を維持、保形する四面立体状包装体において、前記樹脂フィルムを少なくとも３層の樹脂フィルムから構成し、前記シーム部のほぼ中央部に切り欠き部を設け、前記切り欠き部から前記シーム部を通り、前記対向するシーム部又は折り目部或いはファスナー部の一方の角部に向かう前記少なくとも３層の樹脂フィルムを引き裂く第１の引き裂き部、前記切り欠き部の下部から前記シーム部を通り、前記対向するシーム部又は折り目部或いはファスナー部の他方の角部に向かう前記少なくとも３層の樹脂フィルムを引き裂く第２の引き裂き部を設けたことを特徴とする四面立体状包装体。
【請求項２】
請求項１の四面立体状包装体において、前記少なくとも３層の樹脂フィルムは、引き裂き性に優れた延伸されたフィルムと、前記延伸フィルムにそれぞれ対抗して前記延伸フィルムをサンドイッチ状に挟んで配置される２枚のフィルムから構成され、前記２枚のフィルムはそれぞれ前記延伸フィルムより優れた熱溶着性を有することを特徴とする四面立体状包装体。
【請求項３】
樹脂フィルムで構成された袋体の内部に被包装物を投入する開口部を封止するシーム部を形成し、前記シーム部に対向し、前記シーム部に直交するシーム部又は折り目部或いはファスナー部を形成して、四面立方袋体を維持、保形する四面立体状包装方法において、前記樹脂フィルムを少なくとも３層の樹脂フィルムから構成し、前記シーム部のほぼ中央部に切り欠き部を設け、前記切り欠き部から前記シーム部を通り、前記対向するシーム部又は折り目部或いはファスナー部の一方の角部に向かう前記少なくとも３層の樹脂フィルムを引き裂く第１の引き裂き部を形成し、前記切り欠き部の下部から前記シーム部を通り、前記対向するシーム部又は折り目部或いはファスナー部の他方の角部に向かう前記少なくとも３層の樹脂フィルムを引き裂く第２の引き裂き部形成したことを特徴とする四面立体状包装方法。
【請求項４】
請求項３の四面立体状包装方法において、前記少なくとも３層の樹脂フィルムは、引き裂き性に優れた延伸されたフィルムと、前記延伸フィルムにそれぞれ対抗して前記延伸フィルムをサンドイッチ状に挟んで配置される２枚のフィルムから構成され、前記２枚のフィルムはそれぞれ前記延伸フィルムより優れた熱溶着性を有することを特徴とする四面立体状包装方法。
【発明の詳細な説明】
【発明の詳細な説明】
【技術分野】
【０００１】  本発明は、四面立体状包装体（トラス状立体包装体）及び四面立体状包装方法に関するものである。本発明は、包装シートを用いて四面立体状包装体を形成する四面立体状包装体及び包装シートを用いて四面立体状包装体を製作する四面立体状包装方法に関するものである。【０００２】  本発明は、少なくとも３層構造の樹脂フィルムよりなる包装シートを用いて四面立体状包装体を形成する四面立体状包装体及び少なくとも３層構造の樹脂フィルムよりなる包装シートを用いて四面立体状包装体を製作する四面立体状包装方法に関するものである。【０００３】  本発明は、例えば菓子、加工食品、農産物等の被包装物が充填される包装体が四面立体状であって樹脂フィルムよりなる包装シートを用いる四面立体状包装体及び例えば菓子、加工食品、農産物等の被包装物が充填される包装体が四面立体状であって樹脂フィルムよりなる包装シートを用いる四面立体状包装方法に関するものである。
【背景技術】
【０００４】  四面立体状包装体は、平袋に比較し、シート面積が最小で最大の内容積の包装体を得ることができるので、飲料の特に牛乳パックや一口サイズのつまみ包装等に使用されている。前者の牛乳パックは、内面がラミネートされた硬質の紙でできており、上方に開けた小孔にストローを差し込んで飲むようになっているのが殆どで、指等で開封して飲むようにはなっていない。後者のキオスク（登録商標）等で販売されている一口サイズのつまみ包装体は、薄いプラスチックフィルムで成形された四面立体状包装体の一部を引き裂いて開封し、被包装物である収納物を取り出して食するようになっている。【０００５】  四面立体状の包装体は、前述のように、平袋に比して内容積が最大で、しかもトラス構造であることから強度が大きく、外力に対して潰れ難いという特長を有している。従って、積み重ね保管中や輸送中に潰れて損傷し、収納物の品質を著しく損なう食物等の包装に好適であるといえる。【０００６】  本発明者は、樹脂フィルムよりなる包装シートで構成される四面立体状包装体を指で開封容易にし、引き裂いて開封したときに皿形になり、そのまま容器としても使用できる四面立体状包装体を特許文献１（ＷＯ２００７／１１９７８０Ａ１号特許公報）で提案している。【０００７】  特許文献１（ＷＯ２００７／１１９７８０Ａ１号特許公報）に示されている四面立体状包装体は、樹脂フィルムからなる包装シートを有する袋体で構成され、前記袋体は左側面熱溶着シーム、前記左側面熱溶着シームに対向する右側面熱溶着シーム、前記袋体の下面折り曲げ部、前記袋体の前記下面折り曲げ部に対向して前記袋体の上面に設けられた上面開口部を有し、前記下面折り曲げ部に対向する前記上面開口部を封止して、前記下面折り曲げ部と直交する方向に上面熱溶着シームを形成した四面立体状包装体である。【０００８】  特許文献１（ＷＯ２００７／１１９７８０Ａ１号特許公報）記載の技術は、開封したときに包装体がそのまま皿になるので、食器類を使用することなく食することができる。食器類を洗う必要がなく、手間が省けると共に、洗剤や水も節約できるもので環境に易しいものとなっている。又、平袋で使用されている発泡スチロール製のトレイが不要になり、トレイの使用に起因する環境破壊や廃棄処分に掛かるコスト、とりわけ焼却による炭酸ガスの放出が抑えられ、更に包装体そのものの輸送性が向上する技術といえる。【０００９】  又、本発明者は、外側袋体と内側袋体を有する四面立体状包装体に関するもので、四面立体状包装体の一側面に外側袋体の内部と内側袋体の内部への出入りを許すために、開放及び閉止ができるファスナー部を有する四面立体状包装体を特許文献２（ＷＯ２００８／１１２１１２Ａ１特許公報）で示している。外側袋体のファスナー部に対向する側面の両端部はシールで封止され、又、内側袋体のファスナー部に対向する側面の両端部は封止されている。
【先行技術文献】
【特許文献１】ＷＯ２００７／１１９７８０Ａ１号特許公報
【特許文献２】ＷＯ２００８／１１２１１２Ａ１特許公報
【発明の概要】
【発明が解決しようとする課題】
【００１０】  樹脂フィルムよりなる包装シートで構成された袋体を用いた四面立体状包装体において、袋体に対向して配置され、それぞれが人為的に引き裂き可能な引き裂き部を容易に効率よく引き裂くことが強く望まれていた。【００１１】  樹脂フィルムよりなる包装シートで構成された袋体を用いた四面立体状包装体において、袋体に対向して配置され、それぞれが人為的に引き裂き可能な引き裂き部を良好な引き裂き性のもとに引き裂くことが強く望まれていた。【００１２】  樹脂フィルムよりなる包装シートで構成された袋体を用いた四面立体状包装体において、袋体に対向して配置され、それぞれが人為的に引き裂き可能な引き裂き部を強い直進性のもとにほぼ直線状にきれいに引き裂くことが強く望まれていた。【００１３】  樹脂フィルムよりなる包装シートで構成された袋体を用いた四面立体包装方法において、袋体に対向して配置され、それぞれが人為的に引き裂き可能な引き裂き部を容易に効率よく引き裂くことが強く望まれていた。【００１４】  樹脂フィルムよりなる包装シートで構成された袋体を用いた四面立体状包装方法において、袋体に対向して配置され、それぞれが人為的に引き裂き可能な引き裂き部を良好な引き裂き性のもとに引き裂くことが強く望まれていた。【００１５】  樹脂フィルムよりなる包装シートで構成された袋体を用いた四面立体状包装方法において、袋体に対向して配置され、それぞれが人為的に引き裂き可能な引き裂き部を強い直進性のもとにほぼ直線状にきれいに引き裂くことが強く望まれていた。【００１６】  本発明は、上述の課題を解決するためになされたものであり、その目的は包装シートからなる袋体に対向して配置され、それぞれが人為的に容易に効率よく引き裂き可能な引き裂き部を有する袋体より構成された四面立体状包装体にある。【００１７】  本発明は、上述の課題を解決するためになされたものであり、その目的は包装シートからなる袋体に対向して配置され、それぞれが人為的に良好な引き裂き性のもとに引き裂き可能な引き裂き部を有する袋体より構成された四面立体状包装体にある。【００１８】  本発明は、上述の課題を解決するためになされたものであり、その目的は包装シートからなる袋体に対向して配置され、それぞれが人為的に引き裂き可能な引き裂き部を強い直進性のもとにほぼ直線状にきれいに引き裂き可能な引き裂き部を有する袋体より構成された四面立体状包装体にある。【００１９】  本発明は、上述の課題を解決するためになされたものであり、その目的は樹脂フィルムの包装シートからなる袋体に対向して配置され、それぞれが人為的に容易に効率よく引き裂き可能な引き裂き部を有する袋体より構成された四面立体状包装方法にある。【００２０】  本発明は、上述の課題を解決するためになされたものであり、その目的は樹脂フィルムの包装シートからなる袋体に対向して配置され、それぞれが人為的に良好な引き裂き性のもとに引き裂き可能な引き裂き部を有する袋体より構成された四面立体状包装方法にある。【００２１】  本発明は、上述の課題を解決するためになされたものであり、その目的は樹脂フィルムの包装シートからなる袋体に対向して配置され、それぞれが人為的に強い直進性のもとにほぼ直線状にきれいに引き裂き部を有する袋体より構成された四面立体状包装方法にある。
【課題を解決するための手段】
【００２２】  本発明は、樹脂フィルムで構成された袋体の内部に被包装物を投入する開口部を封止するシーム部と、前記シーム部に対向し、前記シーム部に直交するシーム部又は折り目部或いはファスナー部を有して、四面立方袋体を維持、保形する四面立体状包装体において、前記樹脂フィルムを少なくとも３層の樹脂フィルムから構成し、前記シーム部のほぼ中央部に切り欠き部を設け、前記切り欠き部から前記シーム部を通り、前記対向するシーム部又は折り目部或いはファスナー部の一方の角部に向かう前記少なくとも３層の樹脂フィルムを引き裂く第１の引き裂き部、前記切り欠き部の下部から前記シーム部を通り、前記対向するシーム部又は折り目部或いはファスナー部の他方の角部に向かう前記少なくとも３層の樹脂フィルムを引き裂く第２の引き裂き部を設けたことを特徴とする四面立体状包装体にある。【００２３】  本発明は、樹脂フィルムで構成された袋体の内部に被包装物を投入する開口部を封止するシーム部を形成し、前記シーム部に対向し、前記シーム部に直交するシーム部又は折り目部或いはファスナー部を形成して、四面立方袋体を維持、保形する四面立体状包装方法において、前記樹脂フィルムを少なくとも３層の樹脂フィルムから構成し、前記シーム部のほぼ中央部に切り欠き部を設け、前記切り欠き部から前記シーム部を通り、前記対向するシーム部又は折り目部或いはファスナー部の一方の角部に向かう前記少なくとも３層の樹脂フィルムを引き裂く第１の引き裂き部を形成し、前記切り欠き部の下部から前記シーム部を通り、前記対向するシーム部又は折り目部或いはファスナー部の他方の角部に向かう前記少なくとも３層の樹脂フィルムを引き裂く第２の引き裂き部形成したことを特徴とする四面立体状包装方法にある。
【発明の効果】
【００２４】  本発明によれば、少なくとも３層の樹脂フィルムの包装シートからなる袋体に対向して配置され、それぞれが人為的に容易に効率よく引き裂き可能な２個の引き裂き部を有する四面立体状包装体が得られた。【００２５】  本発明によれば、少なくとも３層の樹脂フィルムの包装シートからなる袋体に対向して配置され、それぞれが人為的に良好な裂性のもとで引き裂き可能な２個の引き裂き部を有する四面立体状包装体が得られた。【００２６】  本発明によれば、少なくとも３層の樹脂フィルムの包装シートからなる袋体に対向して配置され、それぞれが人為的にほぼ直線状にきれいに引き裂き可能な２個の引き裂き部を有する四面立体状包装体が得られた。【００２７】  本発明によれば、少なくとも３層の樹脂フィルムの包装シートからなる袋体に対向して配置されそれぞれが人為的に容易に効率よく引き裂き可能な２個の引き裂き部を有する四面立体状包装方法が得られた。【００２８】  本発明によれば、少なくとも３層の樹脂フィルムの包装シートからなる袋体に対向して配置されそれぞれが人為的に良好な裂性のもとで引き裂き可能な２個の引き裂き部を有する四面立体状包装方法が得られた。【００２９】  本発明によれば、少なくとも３層の樹脂フィルムの包装シートからなる袋体に対向して配置され、それぞれが人為的にほぼ直線状にきれいに引き裂き可能な２個の引き裂き部を有する四面立体状包装方法が得られた。
【図面の簡単な説明】
【００３０】
【図１】本発明の一実施例を示す四面立体状包装体を構成する包装シートの断面図である。
【図２】本発明の一実施例を示す２個の引き裂き部を有する包装シートで構成された四面立体状包装体の斜視図である。
【図３】本発明の一実施例を示す２個の引き裂き部を有する包装シートで構成された四面立体状包装体の側面図である。
【図４】図４は、本発明の一実施例の四面立体状包装体の袋体の引き裂き部を引き裂いた斜視図である。
【発明を実施するための形態】
【００３１】  以下、本発明の一実施例である四面立体状包装体の構成と四面立体状包装方法について詳細に説明する。図１は、本発明の四面立体状包装体の構成する包装シートの一実施例を示す断面図である。包装シートＳＨは、３層の樹脂フィルムからなる外側フィルム層ｆｍ１、中間部フィルム層ｆｍ２及び内側フィルム層ｆｍ３の３層の縦方向に延びるフィルムＦＭで構成されている。尚、包装シートＳＨとしては、３層樹脂フィルムＦＭ及び３層を超える樹脂フィルムを採用できる。
【００３２】  ３層の樹脂フィルムＦＭの外側フィルム層ｆｍ１は、ＰＥＴ（ポリエチレンテレフタレート）樹脂フィルムからなる高分子フィルムである。この外側フィルム層ｆｍ１は、約１０−４０μｍの大きさで、無延伸のフィルムで、硬質（腰が強い）材料で、伸びにくく延伸性に乏しい。このように、外側フィルム層ｆｍ１は強い強度を有し、耐熱性に優れている。
【００３３】  ３層の樹脂フィルムＦＭの中間フィルム層ｆｍ２は、一軸延伸されたフィルムからなる高分子フィルムである。この中間フィルム層ｆｍ２は、約１０−４０μｍの大きさで、一方向（縦方向）に引き裂き易い材料で組成され、優れた易引き裂き性を有している。又、中間フィルム層ｆｍ２は、まっすぐに引き裂きでき、一方向（縦方向）への直進性が高い。
【００３４】  ３層の樹脂フィルムＦＭの内側フィルム層ｆｍ３は、ＣＰ（無延伸ポリプロピレン）フィルムからなる高分子フィルムである。この内側フィルム層ｆｍ３は、約１０−４０μｍの大きさで、無延伸のフィルムで、熱溶着性に優れており、高いシール性を有している。
【００３５】  フィルムＦＭは外側フィルム層ｆｍ１、中間フィルム層ｆｍ２及び内側フィルム層ｆｍ３の３層の樹脂フィルムのサンドイッチ構造で構成されている。一軸延伸され、一方向（縦方向）に高い引き裂き性を有する中間フィルム層ｆｍ２が、延伸されていない外側フィルム層ｆｍ１と延伸されていない内側フィルム層ｆｍ３によってサンドイッチ状態に挟まれている。
【００３６】  このため、硬質の外側フィルム層ｆｍ１と硬質の内側フィルム層ｆｍ３によって挟まれた中間フィルム層ｆｍ２は、熱溶着性の高い外側フィルム層ｆｍ１と熱溶着性の高い内側フィルム層ｆｍ３によって横方向への移動が阻止されている。従って、横方向への移動が阻止されている中間フィルム層ｆｍ２は、横方向への揺らぎが抑制され、一軸延伸されたフィルムである中間フィルム層ｆｍ２は高い直進性のもとに、一方向（縦方向）にまっすぐに引き裂かれる。
【００３７】  本発明の一実施例の３層の樹脂フィルムＦＭは、引き裂き性に優れた延伸された中間フィルムｆｍ２と、この中間フィルムｆｍ２にそれぞれ対向して中間フィルムｆｍ２をサンドイッチ状に挟んで配置される外側フィルム層ｆｍ１と内側フィルム層ｆｍ３から構成され、外側フィルム層ｆｍ１と内側フィルム層ｆｍ３はそれぞれ中間フィルムｆｍ２より優れた熱溶着性を有している。
【００３８】  図２は、本発明の一実施例を示す四面立体状包装体であって、２個の引き裂き部を有する包装シートよりなる四面立体状包装体の斜視図である。四面立体状包装体ＰＣは、３層構造の樹脂フィルムＦＭよりなる包装シートＳＨより構成されている。
【００３９】  この四面立体状包装体ＰＣは、例えば、少なくとも３層構造の２枚の樹脂フィルムＦＭを採用して、特許文献１（ＷＯ２００７／１１９７８０Ａ１号特許公報）記載のようにまず平袋体を構成の上、四面立体状包装体ＰＣに製作される。或いは、この四面立体状包装体ＰＣは、例えば、少なくとも３層構造の１枚の樹脂フィルムを採用して、縦形ピロー包装機を用いて、まず筒状袋体を構成の上、四面立体状包装体ＰＣに製作される。
【００４０】  図２に示すように、四面立体状包装体ＰＣの袋体ＢＧは、包装シートＳＨの３層のフィルムＦＭを折り畳んで、第１側面折り目部１（辺Ａ−Ｂ）と第２側面折り目部２（辺Ｃ−Ｄ）を構成している。四面立体状包装体ＰＣの包装シートＳＨの第１側面折り目部１と第２側面折り目部２とは対向して配置されている。四面立体状包装体ＰＣの袋体ＢＧの包装シートＳＨは、第３側面折り目部３（辺Ａ−Ｄ）と第４側面折り目部４（辺Ｃ−Ｂ）を構成している。四面立体状包装体ＰＣの包装シートＳＨの第３側面折り目部３と第４側面折り目部４とは対向して配置されている
【００４１】  袋体ＢＧの第１側面折り目部１の下部角部Ｂ（第４側面折り目部４の下部角部Ｂ）と第２側面折り目部２の下部角部Ｄ（第３側面折り目部３の下部角部Ｄ）を接続する下側面折り曲げ部５（辺Ｂ−Ｄ）が形成されている。この下側面折り曲げ部５は、熱溶着手段によって構成される下側面シーム部でもよい。又、この下側面折り曲げ部５は、袋体の内部に装着され、開放又は閉止自在なファスナーで構成されるファスナー部でもよい。
【００４２】  図２に示すように、四面立体状包装体ＰＣの袋体ＢＧを構成する包装シートＳＨの上面開口部に、熱溶着手段等で水平状の上面シーム部（上側面シーム部）６を形成して封止している。上面シーム部６は、下側面折り曲げ部５に対向して設けられ、下側面折り曲げ部５にほぼ直交して設けられる。
【００４３】  従って、四面立体状包装体ＰＣは、主として、上面シーム部６、第１側面折り目部１と第２側面折り目部２、第３側面折り目部３、第４側面折り目部４及び下側面折り曲げ部５で構成される。四面立体状包装体ＰＣの上面シーム部６は、下側面折り曲げ部５に対向してほぼ直交して四面立体状包装体ＰＣの袋体ＢＧの上面に設けられる。上面シーム部６は、上部の角部Ｅ、角部Ｆを有している。上面シーム部６は、辺（Ｅ−Ａ），辺（Ａ−Ｃ）、辺（Ｃ−Ｆ）、辺（Ｆ−Ａ）で構成されている。
【００４４】  トラス状立体構成が得られる前の状態の四面立体状包装体ＰＣの袋体ＢＧの内部に上面開口部から被包装物が投入される。被包装物が袋体ＢＧの内部に投入された後、上面開口部は熱溶着手段によって封止されて上面シーム部６を構成し、袋体ＢＧの内部に被包装物を収納したトラス状立体構成の四面立体状包装体ＰＣが得られる。
【００４５】  図２に示すように、四面立体状包装体ＰＣの袋体ＢＧを構成する包装シートＳＨの上面シーム部６のほぼ中央部に逆三角形状に切り欠かれた切り欠き部７が設けられている。切り欠け部７の先端部は、上面シーム部６の下面の辺（Ａ−Ｄ）のほぼ中央部（Ｇ点）に対向して上方に位置されている。
【００４６】  本発明の一実施例の四面立体状包装体ＰＣでは、上面シーム部６の切り欠き部７の先端部の下方から延びて上面シーム部６を通り、上面シーム部６の下面（辺Ａ−Ｄ）の中央部（Ｇ点）に達し、この上面シーム部６の下面中央部（Ｇ点）から下側面折り曲げ部５に向かう２個の表面側引き裂き部８と裏面側引き裂き部９が形成されている。
【００４７】  即ち、四面立体状包装体ＰＣでは、四面立体状包装体ＰＣの袋体ＢＧの上面シーム部６に設けられている切り欠き部７の下方に、上面シーム部６を通り、上面シーム部６の下面（辺Ａ−Ｄ）の中央部（Ｇ点）に達し、更にこの上面シーム部６の下面中央部（Ｇ点）から上面シーム部６に直交している下側面折り曲げ部５の一方の角部Ｄに向かう表面側引き裂き部８が形成されている。
【００４８】  又、四面立体状包装体ＰＣの袋体ＢＧの上面シーム部１４に設けられている切り欠き部７の下方に、上面シーム部６を通り、上面シーム部６の下面（辺Ａ−Ｄ）の中央部（Ｇ点）に達し、更にこの上面シーム部６の下面中央部（Ｇ点）から上面シーム部６に直交している下側面折り曲げ部５の他方の角部Ｂに向かう裏面側引き裂き部９が形成されている。
【００４９】  上述の本発明の一実施例四面立体状包装体ＰＣの袋体ＢＧでは、切り欠き部７は逆三角状に切り欠かれているが、他の形状、例えばＵ字状の切り欠き部の他、単なる直線状の切り込み部でもよい。これらの切り込み部を含む切り欠き部は、表面側引き裂き部８と裏面側引き裂き部９のそれぞれの折り目の引き裂きの開始箇所に設けられて四面立体状包装体ＰＣの袋体ＢＧの包装シートＳＨの引き裂きの目安箇所となる。
【００５０】  図３は、本発明の一実施例の包装シートよりなる四面立体状包装体の側面図である。四面立体状包装体ＰＣには、上面シーム部６に設けられた切り欠き部７の下方に、上面シーム部６を通り、上面シーム部６の下面（辺Ａ−Ｄ）の中央部のＧ点に達し、更に上面シーム部６に対向して直交している下側面折り曲げ部５の一方の角部Ｄに向かう表面側引き裂き部８が形成されている。
【００５１】  次に、四面立体状包装体ＰＣの引き裂き作用について説明する。まず、四面立体状包装体ＰＣの上面シーム部６の切り欠き部７の周辺箇所を両手の指で持つ。次いで、四面立体状包装体ＰＣの切り欠き部７から上面シーム部６の下面（辺Ａ−Ｄ）の中央部（Ｇ点）を通り、表面側引き裂き部８と裏面側引き裂き部９は、外側フィルム層ｆｍ１、中間フィルム層ｆｍ２及び内側フィルム層ｆｍ３で構成された３層の樹脂フィルムＦＭに沿ってそれぞれ上方から下方に切り裂かれている。
【００５２】  表面側引き裂き部８と裏面側引き裂き部９は、下側面折り曲げ部５の一方の角部Ｄと他方の角部Ｂに向かって３層の樹脂フィルムＦＭは上方から下方に向かって効率よく直進性を有して順次引き裂かれる。上面シーム部６に設けた切り欠き部７により、切り欠き作業が極めて容易に開始（スタート）することができた。
【００５３】  四面立体状包装体ＰＣの包装シートＳＨの袋体ＢＧの上面シーム部６は、左上面シーム部６ａと右上面シーム部６ｂに左右に分離する（図４参照）。四面立体状包装体ＰＣの袋体ＢＧの包装シートＳＨの上面切り欠き部７から表面側引き裂き部８と裏面側引き裂き部９の外側フィルム層ｆｍ１、中間フィルム層ｆｍ２及び内側フィルム層ｆｍ３で構成された３層の樹脂フィルムＦＭを破壊、剥がして下方に引き裂き工程が進行する。
【００５４】  表面側引き裂き部８と裏面側引き裂き部９に沿って容易に効率よく直進性のもとに包装シートＳＨを引き裂くことができる。このようにして、四面立体状包装体ＰＣの表面側引き裂き部８と裏面側引き裂き部９の樹脂フィルムＦＭを人為的に容易に左右に引き剥がし、引き裂いて、四面立体状包装体ＰＣを簡単に開封できる。
【００５５】  図４は、本発明の一実施例の包装シートよりなる四面立体状包装体の袋体の引き裂き部を引き裂いた斜視図である。又、図４は、本発明の一実施例の包装シートよりなる四面立体状包装体の切り裂き部を引き裂いて舟形に形成した斜視図である。図４において、袋体ＢＧの表面側引き裂き部８と裏面側引き裂き部９の樹脂フィルムＦＭは下方に向かって十分に効率よく引き裂かれる。四面立方包装体ＰＣは皿状を呈している。このため、四面立方包装体ＰＣは食器として供することができる。開封後は、四面立方包装体ＰＣ自身が食器として機能するので、食するための食器等を別に用意する必要もない。
【符号の説明】
【００５６】  １・・・第１側面折り目部    ２・・・第２側面折り目部    ３・・・第３側面折り目部    ４・・・第４側面折り目部    ５・・・下側面折り曲げ部    ６・・・上面シーム部    ６ａ・・・左上面シーム部    ６ｂ・・・右上面シーム部    ７・・・切り欠き部    ８・・・表面側引き裂き部    ９・・・裏面側引き裂き部１７    Ａ・・・角部    Ｂ・・・角部    ＢＧ・・・袋体    Ｃ・・・角部    Ｄ・・・角部    Ｅ・・・角部    Ｆ・・・角部    ＦＭ・・・樹脂フィルム    ｆｍ１・・・外側フィルム層    ｆｍ２・・・中間フィルム層    ｆｍ３・・・外側フィルム層    Ｇ・・・中央部    ＰＣ・・・四面立方包装体    ＳＨ・・・包装シート
【図１】
2014218300.tif 000003
【図２】
2014218300.tif 000004
【図３】
2014218300.tif 000005
【図４】
2014218300.tif 000006